(57)【要約】  【課題】  ＬＥＤプリントヘッドの発光量を読み取る別途のセンサを用いる事無く、各ＬＥＤ素子の光量ばらつきを補正可能な画像形成装置及びプリントヘッドの出力データ補正方法を提供する。  【解決手段】  ＬＥＤプリントヘッド６２と、出力画像の画素データに基づいてプリントヘッド６２への出力データに変換するデータ変換手段２０２と、データ変換手段２０２により得られた出力データによりＬＥＤアレイ６２ａを駆動する駆動回路６２ｂとを備えた画像形成装置で、所定の評価データ２０４に基づいてプリントヘッド６２を駆動して評価画像を出力する画像出力部と、画像出力部３により出力された評価画像を読み取る画像読取部と、画像読取部により読み取られた画像データに基づいて補正用テーブルデータ２０６を補正する補正手段２０５を備えて構成される。  【選択図】  図３
2005324523.tif 000002
【特許請求の範囲】
【請求項１】
主走査方向に複数のＬＥＤが配列されるプリントヘッドと、出力画像の画素データに基づいて前記プリントヘッドへの出力データを設定するテーブルデータを備えたデータ変換手段と、前記データ変換手段により得られた出力データにより前記ＬＥＤアレイを駆動する駆動回路とを備えて構成される画像形成装置であって、
所定の評価データに基づいて前記プリントヘッドを駆動して評価画像を出力する画像出力手段と、前記画像出力手段により出力された評価画像を読み取る画像読取手段と、前記画像読取手段により読み取られた画像データに基づいて前記テーブルデータを補正する補正手段を備えた画像形成装置。
【請求項２】
前記評価データとして、所定濃度のべた画像データが採用される請求項１記載の画像形成装置。
【請求項３】
前記補正手段は、前記画像データの全画素値の平均値と前記画像データの主走査方向の各画素値の副走査方向に沿った平均値との差が所定の範囲を逸脱する場合に、前記所定の範囲に入るように前記テーブルデータを変更する請求項１又は２記載の画像形成装置。
【請求項４】
前記プリントヘッドの出力データは、ＬＥＤアレイの駆動時間又は駆動電流に対応するデータである請求項１から３何れかに記載の画像形成装置。
【請求項５】
主走査方向に複数のＬＥＤが配列されるプリントヘッドと、出力画像の画素データに基づいて前記プリントヘッドへの出力データを設定するテーブルデータを備えたデータ変換手段と、前記データ変換手段により得られた出力データにより前記ＬＥＤアレイを駆動する駆動回路とを備えて構成される画像形成装置のプリントヘッドの出力データ補正方法であって、
所定の評価データに基づいて前記プリントヘッドを駆動して評価画像を出力する評価画像出力ステップと、前記評価画像出力ステップにおいて出力された評価画像を読み取る評価画像読取ステップと、前記評価画像読取ステップにおいて読み取られた画像データに基づいて前記テーブルデータを補正する補正ステップとからなるプリントヘッドの出力データ補正方法。
【請求項６】
所定の評価データに基づいて前記プリントヘッドを駆動して評価画像を出力する評価画像出力ステップと、前記評価画像出力ステップにおいて出力された評価画像を読み取る評価画像読取ステップと、前記評価画像読取ステップにおいて読み取られた画像データに基づいて前記テーブルデータを補正する補正ステップを連続して繰り返す請求項５記載のプリントヘッドの出力データ補正方法。
【発明の詳細な説明】
【技術分野】
【０００１】
本発明は、露光源にＬＥＤアレイを使用する、複写機、プリンタ、ファクシミリ装置などの画像形成装置に関し、詳述すると、主走査方向に複数のＬＥＤが配列されるプリントヘッドと、出力画像の画素データに基づいて前記プリントヘッドへの出力データを設定するテーブルデータを備えたデータ変換手段と、前記データ変換手段により得られた出力データにより前記ＬＥＤアレイを駆動する駆動回路とを備えて構成される画像形成装置に関する。
【背景技術】
【０００２】
従来からプリンタや複写機などの画像形成装置の書き込み光源としてＬＥＤプリントヘッドが用いられている。ＬＥＤプリントヘッドは固体型光源で扱いが容易であり、一般的なレーザスキャナ方式のような回転機構部が無いため容積が小さく画像形成装置を小型化することができる。
【０００３】
しかし、ＬＥＤプリントヘッドはそれぞれ独立したＬＥＤ素子が列状に配列されて構成されるため、各ＬＥＤ素子の製造誤差による発光バラツキや経時変化による発光バラツキにより中間調の画像などの画像形成を行った際に筋状の印刷ムラが発生するという問題があった。
【０００４】
そこで、製造誤差による発光バラツキという問題を解決する第一の例として、ＬＥＤプリントヘッド製造工程において、製造誤差による各ＬＥＤ素子の発光量を測定し、発光光量データに基づいて各ＬＥＤ素子の発光電流や発光時間を補正するための補正データを作成し、その補正データを画像形成装置の制御部に設けられたＲＯＭに格納して、画像形成時に前記補正データに従って、発光量の少ないＬＥＤ素子には相対的に長い時間電流を印加し、発光量の多いＬＥＤ素子には相対的に短い時間電流を印加することで各ＬＥＤ素子の発光バラツキを補正する技術が提案されていた。
【０００５】
また製造誤差により生じる発光バラツキ及び経時変化により生じる発光バラツキという問題を解決する第二の例として、ＬＥＤ素子の発光バラツキを補正するために、各ＬＥＤ素子の光量を読み取るためのフォトダイオードアレイ若しくはＣＣＤを備えて、各ＬＥＤ素子に発光バラツキが生じている場合には、読み取られた光量データに基づき各ＬＥＤ素子の発光量の補正を行う技術が提案されていた。
【特許文献１】特開１９９７−３０９２２３号公報
【発明の開示】
【発明が解決しようとする課題】
【０００６】
しかし、上述した第一の例によれば、ＬＥＤプリントヘッド製造時において、製造誤差による各ＬＥＤ素子の発光量のバラツキを補正するものであるので、経時変化による各ＬＥＤ素子の発光バラツキに対応することが出来なかった。
【０００７】
また、上述した第二の例によれば、経時変化による各ＬＥＤ素子の発光バラツキが生じた場合でも補正することが可能であるが、各ＬＥＤ素子の発光量を読み取るためにフォトダイオードアレイ若しくはＣＣＤなどのセンサを備える必要があり、コスト上昇の一因となっていた。
【０００８】
本発明は、上述の従来欠点に鑑み、特別に各ＬＥＤ素子の発光量を読み取るためのフォトダイオードアレイ若しくはＣＣＤなどのセンサを用いる事無く、各ＬＥＤ素子の製造誤差若しくは経時変化に伴う発光バラツキを補正する画像形成装置及びプリントヘッドの出力データ補正方法を提供する点にある。
【課題を解決するための手段】
【０００９】
上述の目的を達成するため、本発明による画像形成装置の第一の特徴構成は、特許請求の範囲の書類の請求項１に記載した通り、主走査方向に複数のＬＥＤが配列されるプリントヘッドと、出力画像の画素データに基づいて前記プリントヘッドへの出力データを設定するテーブルデータを備えたデータ変換手段と、前記データ変換手段により得られた出力データにより前記ＬＥＤアレイを駆動する駆動回路とを備えて構成される画像形成装置であって、所定の評価データに基づいて前記プリントヘッドを駆動して評価画像を出力する画像出力手段と、前記画像出力手段により出力された評価画像を読み取る画像読取手段と、前記画像読取手段により読み取られた画像データに基づいて前記テーブルデータを補正する補正手段を備えて構成される点にある。
【００１０】
上述の構成によれば、画像形成装置は所定の評価データに基づいて前記プリントヘッドを駆動して評価画像を出力する画像出力手段と、前記画像出力手段により出力された評価画像を読み取る画像読取手段と、前記画像読取手段により読み取られた画像データに基づいて前記テーブルデータを補正する補正手段を備えているため、特別に各ＬＥＤ素子の発光量を読み取るためのフォトダイオードアレイ若しくはＣＣＤなどのセンサを用いる事無く、既存の画像読取手段により間接的に各ＬＥＤ素子の発光バラツキを検知して補正することが出来るのでイニシャルコストを低減することが出来るのである。
【００１１】
同第二の特徴構成は、同請求項２に記載した通り、上述の第一特徴構成に加えて、前記評価データとして、所定濃度のべた画像データが採用される点にある。
【００１２】
上述の構成によれば、べた画像データの所定濃度には所定の中間調が採用されるため、何れの例に飽和することもなく、例えば正転現像方式の場合には、あるＬＥＤ素子の発光量が所定の発光量より少ない場合には、それに対応する画像が所定濃度より濃くなり、あるＬＥＤ素子の発光量が所定の発光量よりも多い場合には、それに対応する画像が所定濃度より薄くなる。その画像濃度を検出することによりの発光誤差を検知し補正することが出来るのである。
【００１３】
同第三の特徴構成は、同請求項３に記載した通り、上述の第一又は第二特徴構成に加えて、前記補正手段は、前記画像データの全画素値の平均値と前記画像データの主走査方向の各画素値の副走査方向に沿った平均値との差が所定の範囲を逸脱する場合に、前記所定の範囲に入るように前記テーブルデータを変更する点にある。
【００１４】
上述の構成によれば、特定画素に対する平均濃度値を求めることにより、濃度ばらつきの他の原因、例えば感光体特性の局所的ばらつきなどによる影響が排除される結果、精度高く補正することが出来るのである。
【００１５】
同第四の特徴構成は、同請求項４に記載した通り、上述の第一から第三の特徴構成の何れかに加えて、前記プリントヘッドの出力データは、ＬＥＤアレイの駆動時間又は駆動電流に対応するデータである点にある。
【００１６】
上述の構成によれば、前記プリントヘッドの出力データである、ＬＥＤアレイの駆動時間又は駆動電流を各ＬＥＤ素子に応じて変更することで、実際に各ＬＥＤ素子の発光バラツキの補正が実現されるのである。
【００１７】
同第五の特徴構成は、同請求項５に記載した通り、主走査方向に複数のＬＥＤが配列されるプリントヘッドと、出力画像の画素データに基づいて前記プリントヘッドへの出力データを設定するテーブルデータを備えたデータ変換手段と、前記データ変換手段により得られた出力データにより前記ＬＥＤアレイを駆動する駆動回路とを備えて構成される画像形成装置のプリントヘッドの出力データ補正方法であって、所定の評価データに基づいて前記プリントヘッドを駆動して評価画像を出力する評価画像出力ステップと、前記評価画像出力ステップにおいて出力された評価画像を読み取る評価画像読取ステップと、前記評価画像読取ステップにおいて読み取られた画像データに基づいて前記テーブルデータを補正する補正ステップとからなるプリントヘッドの出力データ補正方法である点にある。
【００１８】
上述の構成によれば、特別に各ＬＥＤ素子の発光量を読み取るためのフォトダイオードアレイ若しくはＣＣＤなどのセンサを用いる事無く、各ＬＥＤ素子の発光バラツキを補正することが出来るのである。
【００１９】
同第六の特徴構成は、同請求項６に記載した通り、上述の第五の特徴構成に加えて、所定の評価データに基づいて前記プリントヘッドを駆動して評価画像を出力する評価画像出力ステップと、前記評価画像出力ステップにおいて出力された評価画像を読み取る評価画像読取ステップと、前記評価画像読取ステップにおいて読み取られた画像データに基づいて前記テーブルデータを補正する補正ステップを連続して繰り返すプリントヘッドの出力データ補正方法である点にある。
【００２０】
上述の構成によれば、一度プリントヘッドの出力データ補正方法を行ったにも関わらず、前記画像データの全画素値の平均値と前記画像データの主走査方向の各画素値の副走査方向に沿った平均値との差が所定の範囲を逸脱する場合に、前記補正方法が繰り返される事により、一回での補正よりもさらに精度高く補正することが出来るのである。
【発明の効果】
【００２１】
以上説明した通り、本発明によれば、特別に各ＬＥＤ素子の発光量を読み取るためのフォトダイオードアレイ若しくはＣＣＤなどのセンサを用いる事無く、各ＬＥＤ素子の製造誤差若しくは経時変化に伴う発光バラツキを補正する画像形成装置及びプリントヘッドの出力データ補正方法を提供することができるようになった。
【発明を実施するための最良の形態】
【００２２】
以下に本発明による画像形成装置及びプリントヘッドの出力データ補正方法をデジタル方式の複写機に適用した場合について説明する。図１に示すように、画像形成装置としての複写機は、原稿の画像データを読み取る画像読取手段としての画像読取部１と、画像読取部１により読み取られた原稿画像データに所定の処理を施して出力画像データを生成する画像処理部２と、画像処理部２からの出力画像データに基づいて記録紙１０に画像を形成して出力する画像出力手段としての画像出力部３と、複写機の各種ジョブの動作モードを設定するモード設定キーや設定されたジョブを起動するプリントスイッチなどが配置され、前記モード設定キーによる設定情報などが表示されるタッチパネル式の液晶表示部を備えた操作部４などを備えて構成してある。
【００２３】
前記画像読取部１は、原稿が載置される原稿トレイ１２と、原稿トレイ１２に載置された原稿を給紙する原稿給紙部（図示せず）と、原稿給紙部により給紙された原稿の画像を読み取るＣＣＤリニアセンサ（図示せず）などを備えて構成してある。
【００２４】
前記画像出力部３は、前記出力画像データに基づいて感光体６０にトナー画像を形成する画像形成部６と、形成されたトナー画像が転写される記録紙１０を搬送する搬送部７と、転写された記録紙１０上のトナー像を、内部に挿入設置されたヒーターランプにより所定温度に加熱された定着ローラ８ａにより加熱溶融して定着する定着部８などを備えて構成してある。
【００２５】
前記画像形成部６は、感光体６０と、感光体６０の周囲に順に配置され、表面を均一にコロナ帯電する帯電チャージャー６１と、帯電された感光体６０を露光して静電潜像を形成するプリントヘッド６２と、形成された静電潜像にトナーを静電付着させて顕像化する現像部６３と、トナー像を記録紙１０に転写する転写部と、転写後に残存するトナーを除去するクリーニング部６４と、感光体表面の残留電位を落して均一にする除電ランプ６５とを備えて構成し、現像部６３には、カラー画像を生成可能にシアン、マゼンダ、イエロー、ブラックの４色の現像ブロックが配置してある。
【００２６】
前記搬送部７は、夫々サイズの異なる記録紙１０が収容された給紙カセット１１から記録紙１０を１枚ずつ搬送する給紙搬送部７ａと、給紙された記録紙１０を転写部に搬送し、トナー像が転写された記録紙１０を定着部８に向けて搬送する転写搬送部７ｂと、定着部８を通過した記録紙１０をフェースアップで排紙トレイ９に排紙する第一排紙部７ｃと、フェイスダウン方式で排出する第二排紙部７ｄと、前記第二排紙部７ｄを経由して前記画像読取部１に搬送する第三排紙部７ｅと、両面プリント用の再搬送部７ｆなどを備えて構成してあり、夫々に搬送用のローラが設けられている。
【００２７】
前記プリントヘッド６２は、図２に示すように、主走査方向に配列され露光用の光を出力するＬＥＤアレイ６２ａと、ＬＥＤアレイ６２ａを駆動する駆動回路６２ｂと、ＬＥＤアレイ６２ａから出力された光を集光し、前記感光体６０の表面に結像させるセルフォックレンズアレイ６２ｃを備えて構成され、駆動回路６２ｂとＬＥＤアレイ６２ａは配線基板６２ｄ上に実装されている。
【００２８】
上述した複写機の制御部は、図３に示すように、前記画像読取部１による原稿の読取動作を制御する画像読取制御部１Ａと、前記画像処理部２と、前記画像出力部３を制御する画像出力制御部３Ａと、前記操作部４の入出力信号を制御する操作制御部４Ａと、上述の各制御ブロック１Ａ，２，３Ａ，４Ａのタイミングを制御して複写動作などの実行を管理するシステム制御部５とを備えて構成してあり、各制御ブロック１Ａ，２，３Ａ，４Ａ，５には夫々ＣＰＵ及びＣＰＵによる動作プログラムが格納されたＲＯＭなどが設けられている。
【００２９】
前記画像読取制御部１Ａは、原稿給紙部１０１を駆動して原稿トレイ１２に載置された原稿を給紙するとともに、ＣＣＤリニアセンサ１０２により読み取られた原稿画像に対応するアナログ信号をＡ／Ｄ変換手段１０３によりデジタルデータに変換して得られた画像データを、所定の変換テーブルが設けられた入力画像処理手段１０４によりシェーディング補正し、γ補正するように構成してある。
【００３０】
前記画像処理部２は、入力画像処理手段１０４から出力された画像データに対して空間フィルタ処理、中間調処理、拡縮処理などを施して出力画像データを生成する画像処理手段２０１と、画像処理手段２０１からの出力画像データをプリントヘッド６２に対する駆動信号に変換するデータ変換手段２０２などを備えて構成され、変換された駆動信号がプリントヘッド６２の駆動回路６２ｂに出力されるように構成されている。
【００３１】
前記データ変換手段２０２は、ルックアップテーブル２０３を備え、出力画像データをそのテーブルデータに基づいてＬＥＤアレイ６２ａの各ＬＥＤの駆動時間に変換処理する。例えば出力画素データが白を示す００ｈならば駆動時間を０、つまりオフするように変換し、黒を示す０ＦＦｈならば駆動時間を副走査方向の１画素に対応する最大時間駆動するように変換し、グレイを示す１０ｈならば駆動時間を副走査方向の１画素に対応する最大時間の１／２だけ駆動するように変換することにより、出力画像データに基づいた画像濃度を再現するように制御する。
【００３２】
上述の複写機では、原稿トレイ１２に原稿を載置し、操作部４に複写枚数、記録紙サイズ、複写倍率などのモード設定キーを適切に設定操作した後にプリントスイッチを押圧操作することにより複写動作が開始される。即ち、システム制御部５は、画像読取制御部１Ａに原稿画像の読取りコマンドを出力して、画像処理部２に読取られた画像データに基づいた出力画像の生成コマンドを出力し、画像出力制御部３Ａに画像出力コマンドを出力する。画像出力制御部３Ａは、搬送部７を駆動してカセット１１から記録紙１０を搬送させた後に、所定のタイミングで画像出力制御部３Ａに画像データ出力コマンドを出力してプリントヘッド６２を駆動する。プリントヘッド６２により露光された感光体６０にトナー画像が形成されると、トナー像が記録紙１０に転写され、定着部８で定着処理された後に機外に排出されるのである。
【００３３】
上述のプリントヘッド６２を構成するＬＥＤアレイ６２ａは、製造段階、さらには経年変化により個々のＬＥＤの発光光量にばらつきが生じるため、一定の出力画像データに対して全てのＬＥＤの一定の発光光量を確保するために発光時間を制御する必要が生じる。そこで、前記データ変換手段２０２には、さらに上述したルックアップテーブル２０３により変換された駆動時間を各ＬＥＤのばらつきに応じて補正する光量補正用のテーブルデータ２０６が設けられている。前記テーブルデータ２０６は、ＬＥＤ毎に対応した補正データが格納され、同一の画素データに対して例えば平均光量よりも多い発光量のＬＥＤに対しては駆動時間を短縮し、平均光量よりも少ないＬＥＤに対しては駆動時間を長くすることにより、全てのＬＥＤの光量を略等しくなるように制御するのである。
【００３４】
従って、上述のテーブルデータ２０６を経年変化に応じて調整するために、上述の画像処理部２には、プリントヘッド６２の調光のための評価データ２０４が格納されたメモリと、評価データ２０４に基づいて記録紙１０に形成された画像を読み取り、得られた画像データに基づいて前記テーブルデータ２０６を補正する補正手段２０５を備えてあり、以下にその補正動作を、図４に示すフローチャートに基づいて詳述する。
【００３５】
複写機に電源が投入されると、システム制御部５は初期設定を行ない、ヒータに通電して定着部８を加熱するなど各制御ブロックをスタンバイさせる（Ｓ１）。各制御ブロックのスタンバイが完了すると複写動作が可能な状態になる（Ｓ２）。操作部４に設定されているテストモードスイッチ（図示せず）が操作されるとシステム制御部５は、前記テーブルデータ２０６を補正するための補正動作を開始し（Ｓ３）、テストモードスイッチではなく、プリントスイッチが操作されると（Ｓ１５）、上述の複写動作を実行制御する（Ｓ１６）。
【００３６】
補正動作では、先ず、評価データ２０４に基づいて記録紙１０にテストプリントを実行する。つまり、画像出力制御部３Ａ及び画像処理部２にテストプリントコマンドを出力することにより、画像出力制御部３Ａが記録紙１０を給紙するとともに、画像処理手段２０１が評価データ２０４を取り込んでプリントヘッド６２を駆動させてテストプリントを出力させる（Ｓ４）。テストプリントは、第二排紙部７ｄ、第三排紙部７ｅを経由して画像読取部１に搬送される。このとき、画像読取制御部１Ａに画像読取コマンドを出力することにより、テストプリントの画像、つまり評価画像が読み込まれる（Ｓ５）。
【００３７】
このときの評価データ２０４は記録紙１０の全面にハーフトーンのべた画像を出力するように設定されている。従って、全てのＬＥＤの発光光量が等しければ記録紙１０の全面がハーフトーンの均一な濃度の画像として出力されるが、不均一な光量のＬＥＤがあれば、副走査方向に濃度の濃い筋が現われたり、濃度の薄い筋が現われることになる。ここに、評価データの値は特に限定されるものではなく、光量のばらつきが判別される値であれば適宜設定できるものである。
【００３８】
読み込まれた評価画像に対応する画像データは、画像処理手段２０１に設けられた画像メモリに入力される。システム制御部５から補正コマンドが入力された画像処理部２の画像処理手段２０１では、画像データの全画素値の平均値が演算導出され（Ｓ６）、各画素値が全画素平均Ｉに対して所定の許容範囲±Ｋ（Ｋ＞０）に入るか否かが判断され（Ｓ７）、許容範囲±Ｋに入る場合には補正動作が終了する（Ｓ１４）。
【００３９】
許容範囲±Ｋから逸脱する場合には、ＬＥＤピッチに対応した主走査方向の各画素値の副走査方向に沿った平均値が演算導出され（Ｓ８）、補正手段２０５はそれらのデータを入手して各画素値の副走査方向に沿った平均値と全画素の平均値との偏差が上限側の所定値Ｎ（Ｎ＞０）以上の場合に（Ｓ９）、当該偏差がゼロになるようにその画素に対応するＬＥＤ素子の発光量を増やすべくテーブルデータ２０６の値を補正し（Ｓ１２）、下限側の所定値Ｍ（Ｍ＜０）以下の場合に（Ｓ１０）、当該偏差がゼロになるようにその画素に対応するＬＥＤ素子の発光量を減らすべく前記テーブルデータ２０６の値を補正する（Ｓ１１）。
【００４０】
ステップＳ８からＳ１２までの処理が主走査方向の全画素について実行されると補正処理を終了して（Ｓ１３）、ステップＳ３の待機状態に戻る（Ｓ１４）。
【００４１】
以下に別実施形態を説明する。上述した実施形態では、感光体上の非露光位置にトナーを付着させる正転現像方式に対応したものを説明したが、感光体上の露光位置にトナーを付着させる反転現像方式に対応したものであっても、同様の考え方が適用できることはいうまでもない。
【００４２】
上述の実施形態では、各ＬＥＤ素子の発光バラツキの補正をテストモードスイッチが押された時に実行される場合について説明したが、補正を行うタイミングはこれに限られるものでなく、画像形成装置の電源投入時や所定の時間間隔、例えば、一週間に一度、一ヶ月に一度などや管理者又はユーザーの希望する任意のタイミングを操作部４に設定することにより自動的に実行されるように構成することも可能である。
【００４３】
上述の実施形態では、テストモードスイッチにより起動される補正動作、つまり、評価画像の形成からテーブルデータの補正までの工程が一回のみのものを説明したが、当該補正動作をステップＳ７で各画素値が全画素平均Ｉに対して所定の許容範囲±Ｋ（Ｋ＞０）に入るまで連続的に繰り返して実行するように構成するものであってもよく、設定回数だけ連続して繰り返して実行するように構成するものであってもよい。この場合、その回数が管理者又はユーザーにより任意に決定されるものでもよい。
【００４４】
上述の実施形態では、評価画像が形成されると自動的に、前記評価画像は前記第二排紙部７ｄ、前記第三排紙部７ｅを通り、前記画像読取部１に搬送され、読み取られるものであったが、図５に示すように、前記第二排紙部７ｄ、前記第三排紙部７ｅを備えていない複写機であれば、評価画像を手動にて原稿トレイ１２にセットして画像読取部１にて読み取るようにすればよい。また、第一排紙部７ｃ上に密着型のＣＣＤイメージセンサユニットで成る第二画像読取部１ａを設けて評価画像を読み取るように構成してもよい。この場合には、通常の複写動作時に出力画像データと第二画像読取部１ａで読み取られた画像データを比較することによりデータテーブル２０６の値を補正することも可能になる。
【００４５】
上述の実施形態では、評価データ２０４に基づいて評価画像を形成しテーブルデータ２０６の値を補正するものであったが、画像読取部１により別途製作された評価用のテストチャートを読み取り、その画像データに基づいて評価画像を形成しテーブルデータ２０６を自動補正するものでもあってもよい。
【００４６】
上述の実施形態では、ステップＳ７で各画素値が全画素平均Ｉに対して所定の許容範囲±Ｋ（Ｋ＞０）に入るか否かが判断された後にステップＳ８に移行するものを説明したが、ステップＳ７を設けずに直ちにステップＳ８に移行するものであってもよい。
【００４７】
上述の実施形態では、出力画像データをＬＥＤアレイ６２ａの各ＬＥＤの駆動時間に変換処理するルックアップテーブル２０３と、変換処理された駆動時間を各ＬＥＤのばらつきに応じて補正する光量補正用のテーブルデータ２０６を備えたものを説明したが、両テーブルデータを一体化してＬＥＤ毎に出力画像データを駆動時間に変換処理するルックアップテーブルを構築するものであってもよい。
【００４８】
上述の実施形態では、出力画像データをＬＥＤアレイ６２ａの各ＬＥＤの駆動時間に変換処理するルックアップテーブル２０３と、変換処理された駆動時間を各ＬＥＤのばらつきに応じて補正する光量補正用のテーブルデータ２０６を備えたものを説明したが、出力画像データをＬＥＤアレイ６２ａの各ＬＥＤの駆動電流値に変換処理するルックアップテーブルと、変換処理された駆動電流値を各ＬＥＤのばらつきに応じて補正する光量補正用のテーブルデータを備えたものであってもよい。この場合にも、両テーブルデータを一体化してＬＥＤ毎に出力画像データを駆動電流に変換処理するルックアップテーブルを構築することができる。
【００４９】
さらには、駆動時間と駆動電流の両方を制御し、各画素を必要な階調に調整するようにルックアップテーブルを構築するものであってもよい。
【００５０】
上述した実施形態では、画像形成装置として複写機を例に説明したが、ＬＥＤ方式のプリントヘッドを採用する画像形成装置、例えばファクシミリやプリンタなどにも適用できることはいうまでもない。
【図面の簡単な説明】
【００５１】
【図１】本実施形態での画像形成装置の概略の説明図
【図２】プリントヘッドの概略構成図
【図３】制御ブロック構成図
【図４】フローチャート
【図５】別実施形態での画像形成装置の概略の説明図
【符号の説明】
【００５２】
１：画像読取部
１ａ：第二画像読取部
３：画像出力部
６２：プリントヘッド
６２ａ：ＬＥＤアレイ
６２ｂ：駆動回路
２０２：データ変換手段
２０３：ルックアップテーブル
２０５：補正手段
２０６：テーブルデータ
【図１】
2005324523.tif 000003
【図２】
2005324523.tif 000004
【図３】
2005324523.tif 000005
【図４】
2005324523.tif 000006
【図５】
2005324523.tif 000007